【手続補正書】
【提出日】平成22年2月4日(2010.2.4)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
所定の演出画像を表示可能な演出表示装置と、
前記演出表示装置に表示される演出画像の表示制御を行う演出表示制御手段と、
前記遊技領域に向けて打ち込まれた遊技球を受け入れ可能な受入口と、
前記受入口への遊技球の受け入れを検出する受入検出手段と、
前記始動口の近傍に設けられ、常には前記受入口に遊技球が受け入れられる期待度に影響を与えない平時態様に制御される可動部材と、
前記受入検出手段による前記受入口への遊技球の受け入れを検出したことに基づいて、常には第１の確率に基づいて大当たりの当落にかかる大当たり判定を行う大当たり当落判定処理、当該大当たり当落判定処理にて前記大当たりに当選した場合に当該大当たりの種別を判別する大当たり種別判定処理、および、前記大当たり当落判定処理において大当たりに落選したと判定された場合にのみ、前記大当たりよりも付与される利益が小さい微利益当たりの当落にかかる微利益当たり判定を行う微利益当たり当落判定処理、を行う抽選手段と、
前記大当たり当落判定処理において大当たりに当選したと判定されたことに基づいて遊技者に有利な大当たり遊技を実行可能な大当たり遊技実行手段と、
前記微利益当たり判定処理にて微利益当たりに当選したと判定されたことに基づいて、当該微利益当たりに当選したときの遊技状態を変化させることなく、微利益当たり遊技を実行可能な微利益当たり遊技実行手段と、
前記可動部材の態様が常には前記平時態様に制御される通常遊技状態に制御する通常遊技制御手段と、
特定の条件が成立した場合に、前記可動部材の態様が前記平時態様よりも有利となる有利遊技状態に制御する有利遊技制御手段と
を備える遊技機であって、
前記大当たり遊技実行手段は、
前記大当たり当落判定処理において前記大当たりのうち特殊大当たりに当選したと判定されたときに、前記大当たり遊技として前記微利益当たり遊技に極似する態様の特殊大当たり遊技を実行可能な特殊大当たり遊技実行手段、
を有しており、
前記大当たり当落判定処理によって前記大当たりに当選したと判定されたとき、
前記有利遊技制御手段は、
前記大当たり種別判定処理によって判定された大当たりの種別が前記特定の条件としての特別大当たりである場合に、当該特別大当たりに基づく大当たり遊技が実行されたのちの遊技状態を、前記可動部材の態様として前記平時態様よりも前記受入口への遊技球の受け入れを促進しうる促進態様が導出される前記有利遊技状態に制御すると共に、前記第１の確率に代えて当該第１の確率より少なくとも２倍以上高い第２の確率に基づいて前記大当たり当落判定処理をし、且つ当該有利遊技状態である旨を示唆する演出画像を前記演出表示装置に表示するものであって、
前記通常遊技制御手段は、
前記大当たり種別判定処理によって判定された大当たりの種別が通常大当たりであるとき、当該通常大当たりに基づく大当たり遊技が実行されたのちの遊技状態を前記通常遊技状態に制御し、且つ、当該通常遊技状態としての演出画像を前記演出表示装置に表示するとともに、
前記大当たり遊技が実行されたのちに制御される前記通常遊技状態を、前記第１の確率に基づいて前記大当たり当落判定処理を行う第１の通常遊技状態、および、前記第１の確率に代えて前記第２の確率に基づいて前記大当たり当落判定処理を行う第２の通常遊技状態、のいずれかに制御し、
前記通常遊技状態において前記特殊大当たりに当選したときは、当該特殊大当たりに基づく特殊大当たり遊技が実行されたのちの遊技状態を、当該特殊大当たりに当選したときの遊技状態に拘らず前記第２の通常遊技状態に制御すると共に、
前記通常遊技状態において前記微利益当たりに当選したときは、当該微利益当たりに基づく微利益当たり遊技が実行されたのちの遊技状態を、当該微利益当たりに当選したときの遊技状態としての前記第１の通常遊技状態または前記第２の通常遊技状態に維持するものであって、
前記通常遊技状態においては、少なくとも通常の当選確率である前記第１の確率に基づいて前記大当たり当落判定処理が行われるのみならず、当該第１の確率に代えて有利な当選確率である前記第２の確率に基づいて前記大当たり当落判定処理が行われうることにより、遊技者により把握される見かけ上の当選確率が少なくとも前記第１の確率よりも大である
ことを特徴とする遊技機。
【請求項２】
前記特殊大当たり遊技または前記微利益当たり遊技が実行されたのちに制御されうる前記第２の通常遊技状態では、前記可動部材が前記平時態様に制御されると共に前記第１の確率に代えて前記第２の確率に基づいて前記当落判定処理が行われるにも拘らず、前記通常遊技状態が継続して実行される旨を示唆する演出画像が前記演出表示装置に表示される
請求項１に記載の遊技機。
【請求項３】
前記演出表示制御手段は、
前記通常遊技状態において前記特殊大当たりまたは前記微利益当たりに当選したとき、前記通常遊技状態が継続して実行される旨を示唆する演出画像に代えて、特定の演出条件を達成すべき指令を示す演出画像が前記演出表示装置に表示される目的達成モードの表示制御を行なうものであって、
当該目的達成モード中に前記特別大当たりまたは前記通常大当たりに当選したときは、前記特定の演出条件が達成されたことを示す演出画面を前記演出表示装置に表示することによって、当該大当たりに当選したことを遊技者に示唆するようにした
請求項１または請求項２に記載の遊技機。
【手続補正２】
【補正対象書類名】明細書
【補正対象項目名】０００７
【補正方法】変更
【補正の内容】
【０００７】
手段１．手段１に記載の遊技機は、遊技領域を有し、当該遊技領域に向けて遊技球が打ち込まれる遊技盤と、所定の演出画像を表示可能な演出表示装置と、前記演出表示装置に表示される演出画像の表示制御を行う演出表示制御手段と、前記遊技領域に向けて打ち込まれた遊技球を受け入れ可能な受入口と、前記受入口への遊技球の受け入れを検出する受入検出手段と、前記始動口の近傍に設けられ、常には前記受入口に遊技球が受け入れられる期待度に影響を与えない平時態様に制御される可動部材と、前記受入検出手段による前記受入口への遊技球の受け入れを検出したことに基づいて、常には第１の確率に基づいて大当たりの当落にかかる大当たり判定を行う大当たり当落判定処理、当該大当たり当落判定処理にて前記大当たりに当選した場合に当該大当たりの種別を判別する大当たり種別判定処理、および、前記大当たり当落判定処理において大当たりに落選したと判定された場合にのみ、前記大当たりよりも付与される利益が小さい微利益当たりの当落にかかる微利益当たり判定を行う微利益当たり当落判定処理、を行う抽選手段と、前記大当たり当落判定処理において大当たりに当選したと判定されたことに基づいて遊技者に有利な大当たり遊技を実行可能な大当たり遊技実行手段と、前記微利益当たり判定処理にて微利益当たりに当選したと判定されたことに基づいて、当該微利益当たりに当選したときの遊技状態を変化させることなく、微利益当たり遊技を実行可能な微利益当たり遊技実行手段と、前記可動部材の態様が常には前記平時態様に制御される通常遊技状態に制御する通常遊技制御手段と、特定の条件が成立した場合に、前記可動部材の態様が前記平時態様よりも有利となる有利遊技状態に制御する有利遊技制御手段とを備える遊技機であって、前記大当たり遊技実行手段は、前記大当たり当落判定処理において前記大当たりのうち特殊大当たりに当選したと判定されたときに、前記大当たり遊技として前記微利益当たり遊技に極似する態様の特殊大当たり遊技を実行可能な特殊大当たり遊技実行手段、を有しており、前記大当たり当落判定処理によって前記大当たりに当選したと判定されたとき、前記有利遊技制御手段は、前記大当たり種別判定処理によって判定された大当たりの種別が前記特定の条件としての特別大当たりである場合に、当該特別大当たりに基づく大当たり遊技が実行されたのちの遊技状態を、前記可動部材の態様として前記平時態様よりも前記受入口への遊技球の受け入れを促進しうる促進態様が導出される前記有利遊技状態に制御すると共に、前記第１の確率に代えて当該第１の確率より少なくとも２倍以上高い第２の確率に基づいて前記大当たり当落判定処理をし、且つ当該有利遊技状態である旨を示唆する演出画像を前記演出表示装置に表示するものであって、前記通常遊技制御手段は、前記大当たり種別判定処理によって判定された大当たりの種別が通常大当たりであるとき、当該通常大当たりに基づく大当たり遊技が実行されたのちの遊技状態を前記通常遊技状態に制御し、且つ、当該通常遊技状態としての演出画像を前記演出表示装置に表示するとともに、前記大当たり遊技が実行されたのちに制御される前記通常遊技状態を、前記第１の確率に基づいて前記大当たり当落判定処理を行う第１の通常遊技状態、および、前記第１の確率に代えて前記第２の確率に基づいて前記大当たり当落判定処理を行う第２の通常遊技状態、のいずれかに制御し、前記通常遊技状態において前記特殊大当たりに当選したときは、当該特殊大当たりに基づく特殊大当たり遊技が実行されたのちの遊技状態を、当該特殊大当たりに当選したときの遊技状態に拘らず前記第２の通常遊技状態に制御すると共に、前記通常遊技状態において前記微利益当たりに当選したときは、当該微利益当たりに基づく微利益当たり遊技が実行されたのちの遊技状態を、当該微利益当たりに当選したときの遊技状態としての前記第１の通常遊技状態または前記第２の通常遊技状態に維持するものであって、前記通常遊技状態においては、少なくとも通常の当選確率である前記第１の確率に基づいて前記大当たり当落判定処理が行われるのみならず、当該第１の確率に代えて有利な当選確率である前記第２の確率に基づいて前記大当たり当落判定処理が行われうることにより、遊技者により把握される見かけ上の当選確率が少なくとも前記第１の確率よりも大であることを特徴とする遊技機である。